(57)【要約】【課題】複雑な構造にすることなく視認性に優れた確認灯を有する火災感知器を得る。【解決手段】本発明に係る火災感知器１は、取付面３に取り付けられて火災を感知する火災感知器１であって、発報状態となったときに発光する発光部１７を有し、発光部１７は筺体１１の外方に向けて光を照射すると共に、発光部１７の光軸１８の延長線が火災感知器１の取付状態において取付面３に交差するように設定されていることを特徴とするものである。【選択図】  図１
2017111617.tif 000002
【特許請求の範囲】
【請求項１】
取付面に取り付けられて火災を感知する火災感知器であって、
発報状態となったときに発光する発光部を有し、
該発光部は筺体外方に向けて光を照射すると共に、該発光部の光軸の延長線が前記火災感知器の取付状態において前記取付面に交差するように設定されていることを特徴とする火災感知器。
【請求項２】
前記発光部は、発光素子、又は発光素子と該発光素子の光をガイドする光ガイドによって構成されていることを特徴とする請求項１記載の火災感知器。
【請求項３】
前記発光部が前記筺体内に設けられて外部に露出していないことを特徴とする請求項１又は２に記載の火災感知器。
【発明の詳細な説明】
【技術分野】
【０００１】
本発明は、天井面等に取り付けられる火災感知器に関し、特に発報状態となった動作状態を確認するために発光する発光部を有する火災感知器に関する。
【背景技術】
【０００２】
火災感知器には、発報状態となったときの動作状況を表示する確認灯が設けられている。この確認灯は、天井面等に複数設けられている火災感知器のうち発報している火災感知器を特定するため、あるいは加煙試験や加熱試験などの動作試験の際の動作確認のためにも用いられる。このような確認灯は、外部からの視認性に優れるものが求められる。
【０００３】
そこで、確認灯の視認性を向上させるものとして、例えば特許文献１には、光導通部材の一端側を発光素子に光学的に接続し、他端側を火災感知器の本体の外周側面に位置させ、前記光導通部材の他端側を確認灯として用いるようにしたものが開示されている。
【０００４】
また、特許文献２には、防虫網を照射するように表示灯を設けることで、視認性を向上させた光電式煙感知器が提案されている。
【先行技術文献】
【特許文献】
【０００５】
【特許文献１】特開平９−１２８６６６号公報
【特許文献２】特開２０１４−１９７２７５号公報
【発明の概要】
【発明が解決しようとする課題】
【０００６】
特許文献１に開示のものでは、発光素子の取付位置にかかわらず火災感知器における見易い位置に発光位置を設定できるが、発光部自体は、発光素子が発光するのと同様に点発光であり、十分な視認性を得られているとは言い難い。
これに対して、特許文献２に開示のものでは、表示灯自体の発光に加えて他の部位である防虫網を光らせているので、光る面積が広く視認性はより向上すると考えられる。
【０００７】
しかしながら、防虫網は通常金属製であり、室内の電灯の光で光ることもあり、表示灯で光らせることでの視認性の向上効果が十分に得られないこともある。
【０００８】
本発明はかかる課題を解決するためになされたものであり、発報状態を視認性よく確認できる火災感知器を得ることを目的としている。
【課題を解決するための手段】
【０００９】
従来の確認灯は、その名前が示すように自身が光って外部から確認されるというものであり、火災感知器に設けた確認灯自体、あるいは確認灯によって火災感知器自体の特定部位を光らせることで、発報状態にある火災感知器を知らせるという発想である。
このため、視認性向上には限界があった。
【００１０】
発明者は上記のような発想から、発光部自体は火災感知器に設けるとしても、光る場所は火災感知器である必要がないのではないかという新たな発想を得て本発明を完成したものであり、具体的には以下の構成からなるものである。
【００１１】
（１）本発明に係る火災感知器は、取付面に取り付けられて火災を感知する火災感知器であって、発報状態となったときに発光する発光部を有し、該発光部は筺体外方に向けて光を照射すると共に、該発光部の光軸の延長線が前記火災感知器の取付状態において前記取付面に交差するように設定されていることを特徴とするものである。
【００１２】
（２）また、上記（１）に記載のものにおいて、前記発光部は、発光素子、又は発光素子と該発光素子の光をガイドする光ガイドによって構成されていることを特徴とするものである。
【００１３】
（３）また、上記（１）又は（２）に記載のものにおいて、前記発光部が前記筺体内に設けられて外部に露出していないことを特徴とするものである。
【発明の効果】
【００１４】
本発明に係る火災感知器は、発報状態となったときに発光する発光部を有し、該発光部は筺体外方に向けて光を照射すると共に、該発光部の光軸の延長線が前記火災感知器の取付状態において前記取付面に交差するように設定されているので、発報状態となったときに天井面等の取付面を光らせることができ、従来のように火災感知器の表面にとらわれることなく広い面積を光らせることができ視認性を向上させることができる。
【図面の簡単な説明】
【００１５】
【図１】本発明の一実施の形態に係る火災感知器の断面図である。
【図２】本発明の一実施の形態に係る火災感知器の外形図である。
【図３】本発明の一実施の形態に係る火災感知器の動作説明図であり、発光部が発光した状態を下方から見た図である。
【発明を実施するための形態】
【００１６】
本実施の形態に係る火災感知器１について、図１、図２に基づいて説明する。なお、以下の説明における上端とは、図１、２における上側を指し、以下の説明における下端とは、図１、２における下側を指すものである。
本実施の形態に係る火災感知器１は、図１、図２に示すように、室内の天井面等の取付面３に取り付けられて火災を感知する火災感知器１であって、取付面３に取り付けられるベース部５と、ベース部５に連結される本体部７を有し、本体部７に設けられた煙導入口９から導入される煙を検出して火災を検知するものである。
【００１７】
ベース部５は、円筒形からなり上端側が天井面等の取付面３に取り付けられ、下端側に本体部７が連結される。本体部７はベース部５を介して取付面３に取り付けられるので、図１、図２に示すように、取付状態において取付面３からベース部５の高さ分だけ離れて設置される。
【００１８】
本体部７は、筺体１１を有し、筺体１１内には各種の電気部品が実装される回路基板１３、煙を光学的に検出するための検煙部１５が設けられている。
また、筺体１１は、上端部がベース部５に取り付けられ下方に向かって拡径する拡径円筒部１１ａと、拡径円筒部１１ａの下方に連続して形成され、下方に向かって縮径する縮径円筒部１１ｂと、縮径円筒部１１ｂの下方に設けられて煙を導入するための煙導入部１１ｃを有してなる。
煙導入部１１ｃには、煙導入口９が設けられ、煙導入口９の内側には防虫網（図示なし）が設置されている。
【００１９】
また、筺体１１の内部の両側左右対称位置に、発光素子によって構成され、光１９を発する発光部１７が設けられている。発光部１７は、図１に示すように、光１９の光軸１８が筺体１１の外方に向き、かつ光軸１８の延長線が取付面３に交差するように設置されている。即ち、天井面等の取付面３を照射するように発光部１７が設けられている。
なお、本実施の形態に係る火災感知器１では、発光部１７は筺体１１の内部の両側左右対称位置に設けられるものとして説明したが、発光部１７の配置、数量はこれに限らず、例えば発光部１７を円周上に均等に４個配置するようにしてもよく、特に、発光部１７は複数個ある方が好ましい。
また、発光部１７は筺体１１内において、拡径円筒部１１ａに配置されており、拡径円筒部１１ａの周面における確認灯の光軸１８と交差する部位には窓部（図示なし）が設けられている。
【００２０】
発光部１７は、拡径円筒部１１ａ内に配置されており、外部からは確認灯自体が露出せずその形が見えないようになっている。さらに、窓部も拡径円筒部１１ａの周面に設けられているので、火災感知器１を下方から見上げた場合には見えないようになっている。これにより、火災感知器１は、図２に示すように、外観がすっきりとして意匠的に優れたものになっている。
なお、発光部１７を外部に露出させず、外部から見えないようにできるのは、発光部１７自体を外部から認識させるのではなく、取付面３という外部を光らせるという発想によって成し得たものである。
【００２１】
上記のように構成された本実施の形態の火災感知器１によれば、図３に示すように、発光部１７が発光した状態では、光１９が天井面等の取付面３に向けて照射され取付面３が光るので、視認性に優れる。
天井面には電灯が取り付けられるが、その電灯が埋込み式のものでも、あるいは露出型のものでも天井面自体は電灯で直接照射されることがなく、薄暗い状態になっている。このため、発光部１７が発光して天井面が照射されると、図３に示すように、薄暗い面に直接照射されるので、濃淡が明確になり視認性に優れる。
また、光１９は白色光以外の光、例えば赤色光とすることで、近くに電灯が点灯していたとしても、色が異なるため視認性に優れる。
【００２２】
なお、上記の実施の形態においては、発光部１７を発光素子のみで構成した例を示したが、発光部１７を発光素子と発光素子の光をガイドする光ガイドによって構成してもよい。
発光部１７を発光素子と光ガイドで構成した場合には、光ガイドの一端側に発光素子を光学的に接続し、光ガイドの他端側を筺体１１の窓部に臨ませるようにすればよい。この場合、光ガイドの先端の形状を自在にして取付面３側に向けて屈曲させるようにしてもよい。
【００２３】
なお、上記の説明では火災感知器の例として、煙を検出して火災を感知する煙感知器を例示したが、本発明はこれに限られるものではなく、サーミースタによって熱を検出して火災を感知する熱感知器や、炎の波長を検出して火災を感知する炎感知器、燃焼生成物(ＣＯ、ＣＯ２など）を検出して火災を感知する感知器を含む。これらの火災感知器は天井面に多数取り付けられるものであるが、発光部１７が天井面を照らすことで、作動している火災感知器が一見して分かるという効果がある。
また、上記の説明では、ベース部５を天井面である取付面３から露出するタイプである露出ベースとして説明したが、天井面に埋め込まれるタイプの埋込ベースであっても良い。
【００２４】
なお、上記の説明では発光部が外部から見えないことで意匠性を向上できる点を述べたが、本発明の火災感知器においては、発光部が外部から見えるものを排除するものではない。また、本発明に係る天井面を照らす発光部と、従来から火災感知器の表面に視認できるように設けられている確認灯を併用するようにしてもよい。
【００２５】
また、上記の説明では、発光部１７は取付面３を照射する光１９を発するものとして説明したが、取付面３に照射される天井面に、火災感知器の作動の警告や避難方向の指示等、文字や図形の表示がなされるような発光部であっても良い。
【符号の説明】
【００２６】
１  火災感知器
３  取付面
５  ベース部
７  本体部
９  煙導入口
１１  筺体
１１ａ  拡径円筒部
１１ｂ  縮径円筒部
１１ｃ  煙導入部
１３  回路基板
１５  検煙部
１７  発光部
１８  光軸
１９  光
【図１】
2017111617.tif 000003
【図２】
2017111617.tif 000004
【図３】
2017111617.tif 000005